(57)【要約】【課題】  コンテンツ要約情報表示機能を有する多機能機を提供すること。【解決手段】  多機能機１０は、各コンテンツのコンテンツタイトル文字列１６２を表示する。ユーザは、コンテンツタイトル文字列１６２にタッチすることができる。多機能機１０は、複数のコンテンツのコンテンツタイトル文字列１６２を含むリスト１７０を表示することができる。ユーザは、リスト１７０の中から１つのコンテンツを選択することができる。多機能機１０は、ユーザによって選択されたコンテンツのコンテンツＵＲＬ１４６を特定し、特定されたコンテンツＵＲＬ１４６をＰＣ７０，７１に送信する。【選択図】  図１２
2010041539.tif 000002
【特許請求の範囲】
【請求項１】
各コンテンツの位置情報と各コンテンツのタイトルとを少なくとも含むコンテンツ要約情報の位置情報にアクセス可能であり、かつ、情報表示装置に通信可能に接続される通信装置であり、
コンテンツ要約情報の位置情報を記憶することが可能である位置情報記憶手段と、
位置情報記憶手段に記憶されている位置情報からコンテンツ要約情報を取得する要約情報取得手段と、
要約情報取得手段によって取得されたコンテンツ要約情報に含まれる各コンテンツのタイトルを表示するタイトル表示手段と、
タイトル表示手段に表示された各コンテンツのタイトルから少なくとも１つのタイトルをユーザが選択することを許容するタイトル選択許容手段と、
タイトル選択許容手段において選択されたタイトルに対応するコンテンツの位置情報をコンテンツ要約情報から特定する位置情報特定手段と、
位置情報特定手段によって特定された位置情報を情報表示装置に送信する位置情報送信手段と
を備える通信装置。
【請求項２】
前記情報表示装置からの情報を受信する情報受信手段をさらに備え、
位置情報送信手段は、前記情報表示装置からの情報が情報受信手段によって受信されたことを条件として、位置情報特定手段によって特定された位置情報を前記情報表示装置に送信する
ことを特徴とする請求項１に記載の通信装置。
【請求項３】
前記情報表示装置の識別情報を記憶することが可能である識別情報記憶手段をさらに備え、
位置情報送信手段は、識別情報記憶手段に記憶されている前記識別情報を含む情報が情報受信手段によって受信されたことを条件として、位置情報特定手段によって特定された位置情報を前記情報表示装置に送信する
ことを特徴とする請求項２に記載の通信装置。
【請求項４】
複数の情報表示装置に通信可能に接続される請求項１に記載の通信装置であり、
各情報表示装置からの情報を受信する情報受信手段と、
情報受信手段によって受信された情報の送信元の情報表示装置に関する情報を表示する装置情報表示手段と、
装置情報表示手段に表示された各情報表示装置に関する情報から少なくとも１つの情報表示装置をユーザが選択することを許容する装置選択許容手段とをさらに備え、
位置情報送信手段は、位置情報特定手段によって特定された位置情報を装置選択許容手段において選択された情報表示装置に送信する
ことを特徴とする通信装置。
【請求項５】
装置情報表示手段は、１つの情報表示装置のみからの情報が情報受信手段によって受信された場合でも、当該情報表示装置に関する情報を表示し、
位置情報送信手段は、装置選択許容手段において当該情報表示装置が選択されたことを条件として、位置情報特定手段によって特定された位置情報を当該情報表示装置に送信する
ことを特徴とする請求項４に記載の通信装置。
【請求項６】
少なくとも１つの情報表示装置からの情報が情報受信手段によって受信されたことを条件として第１表示形態を有する操作部を表示するとともに、いずれの情報表示装置からの情報も情報受信手段によって受信されないことを条件として第１表示形態と異なる第２表示形態を有する操作部を表示する操作部表示手段をさらに備え、
装置情報表示手段は、第１表示形態を有する操作部が操作されたことを条件として、情報受信手段によって受信された情報の送信元の情報表示装置に関する情報を表示する
ことを特徴とする請求項４又は５に記載の通信装置。
【請求項７】
少なくとも１つの情報表示装置の識別情報を記憶することが可能である識別情報記憶手段と、
識別情報記憶手段に記憶されている前記識別情報を含む情報が情報受信手段によって受信されたのか否かを判断する第１判断手段と、
識別情報記憶手段に記憶されている前記識別情報以外の識別情報を含む情報が情報受信手段によって受信されたのか否かを判断する第２判断手段とをさらに備え、
位置情報送信手段は、第１判断手段によって肯定的に判断されたことを条件として、位置情報特定手段によって特定された位置情報を前記識別情報に対応する情報表示装置に送信し、
装置情報表示手段は、第１判断手段によって否定的に判断され、かつ、第２判断手段によって肯定的に判断されたことを条件として、情報受信手段によって受信された情報の送信元の情報表示装置に関する情報を表示する
ことを特徴とする請求項４から６のいずれかに記載の通信装置。
【請求項８】
位置情報記憶手段は、複数のコンテンツ要約情報のそれぞれの位置情報を記憶することが可能であり、
要約情報取得手段は、位置情報記憶手段に記憶されている各位置情報からコンテンツ要約情報を取得し、
タイトル表示手段は、要約情報取得手段によって取得された各コンテンツ要約情報に含まれる各コンテンツのタイトルを表示する
ことを特徴とする請求項１から７のいずれかに記載の通信装置。
【発明の詳細な説明】
【技術分野】
【０００１】
本発明は、ネットワーク上で公開されているコンテンツのタイトルを表示する通信装置に関する。
【背景技術】
【０００２】
様々なコンテンツがネットワーク上で公開されている。各コンテンツのＵＲＬと各コンテンツのタイトルとを含むコンテンツ要約情報を公開しているサーバが存在する。コンテンツ要約情報の一例として、例えば、フィード情報（Ｆｅｅｄ）を挙げることができる。フィード情報のフォーマットとしては、例えば、ＲＳＳやＡｔｏｍが存在する。下記の非特許文献１には、フィード情報を取得して各コンテンツのタイトルを表示するためのソフトウェアが開示されている。このソフトウェアをＰＣにインストールすると、ユーザは、各コンテンツのタイトルを見ることができる。ユーザがタイトルをクリックすると、ＰＣは、ブラウザを起動し、そのタイトルに対応するコンテンツのＵＲＬにアクセスする。これにより、ＰＣにおいてコンテンツが表示される。
【０００３】
【非特許文献１】小津智幸、“ＲＳＳ対応サイトの配信記事タイトルを電光掲示板風に表示「Ｄｉｒｔｙ  Ｎｅｗｓ  Ｒｅａｄｅｒ」”、［Ｏｎｌｉｎｅ］、平成１６年５月２６日、Ｉｍｐｒｅｓｓ  Ｃｏｒｐｏｒａｔｉｏｎ、［平成２０年７月２９日検索］、インターネット、＜ｈｔｔｐ：／／ｗｗｗ．ｆｏｒｅｓｔ．ｉｍｐｒｅｓｓ．ｃｏ．ｊｐ／ａｒｔｉｃｌｅ／２００４／０５／２６／ｄｉｒｔｙｎｅｗｓｒｅａｄｅｒ．ｈｔｍｌ＞
【発明の開示】
【発明が解決しようとする課題】
【０００４】
コンテンツ要約情報は、コンテンツが要約化された情報（タイトル等）であるために、比較的に小さい表示装置でも問題なく見ることができる。しかしながら、コンテンツは、多くの文字列を含んでいることがある。また、コンテンツは、画像データを含んでいることもある。コンテンツを比較的に小さい表示装置で表示すると、コンテンツの全体を見るためには、ユーザは、画面を何度もスクロールさせる必要がある。操作が煩わしく、しかも、情報が見づらい。本明細書では、このような不便性を解消することができる技術を提供する。
【課題を解決するための手段】
【０００５】
本明細書で開示される一つの技術は、各コンテンツの位置情報と各コンテンツのタイトルとを少なくとも含むコンテンツ要約情報の位置情報にアクセス可能である通信装置である。上記の「位置情報」という用語は、コンテンツの位置を特定することができるあらゆる情報を含む概念である。位置情報の一例として、例えば、ＵＲＬ（Ｕｎｉｆｏｒｍ  Ｒｅｓｏｕｒｃｅ  Ｌｏｃａｔｏｒ）等を挙げることができる。また、上記の「タイトル」は、コンテンツの全体の文字列よりも少ない文字列であって、コンテンツの内容を反映している文字列を意味する。通信装置は、情報表示装置に通信可能に接続される。また、上記の「情報表示装置」という用語は、情報を表示することができるあらゆるデバイスを含む概念である。情報表示装置の一例として、ＰＣ、テレビ等を挙げることができる。
【０００６】
通信装置は、位置情報記憶手段と要約情報取得手段とタイトル表示手段とタイトル選択許容手段と位置情報特定手段と位置情報送信手段とを備える。位置情報記憶手段は、コンテンツ要約情報の位置情報を記憶することが可能である。要約情報取得手段は、位置情報記憶手段に記憶されている位置情報からコンテンツ要約情報を取得する。タイトル表示手段は、要約情報取得手段によって取得されたコンテンツ要約情報に含まれる各コンテンツのタイトルを表示する。タイトル選択許容手段は、タイトル表示手段に表示された各コンテンツのタイトルから少なくとも１つのタイトルをユーザが選択することを許容する。位置情報特定手段は、コンテンツ選択許容手段において選択されたタイトルに対応するコンテンツの位置情報をコンテンツ要約情報から特定する。位置情報送信手段は、位置情報特定手段によって特定された位置情報を情報表示装置に送信する。
【０００７】
上記の技術は、通信装置が有する表示手段より情報表示装置が有する表示手段が大きい場合に効果的である。通信装置が有する表示手段ではコンテンツの全体を見づらい場合、通信装置から情報表示装置にコンテンツの位置情報を送信することができる。ユーザは、情報表示装置が有する表示手段においてコンテンツの全体を見ることができる。なお、通信装置は、コンテンツの位置情報からコンテンツを取得して表示することが可能であってもよいし、可能でなくてもよい。後者の場合、通信装置は、ブラウザを備えていなくてもよい。この場合、通信装置の構成を簡単化することができる。
【０００８】
通信装置は、上記の情報表示装置からの情報を受信する情報受信手段をさらに備えていてもよい。また、位置情報送信手段は、上記の情報表示装置からの情報が情報受信手段によって受信されたことを条件として、位置情報特定手段によって特定された位置情報を上記の情報表示装置に送信してもよい。情報表示装置が起動していなければ、情報表示装置からの情報は受信されない。通信装置は、情報表示装置からの情報を受信することによって、情報表示装置が起動しているのか否かを知ることができる。この構成では、情報表示装置が起動している場合に、コンテンツの位置情報を情報表示装置に送信することができる。なお、上記の「条件として」という用語は、他の条件（ＡＮＤ条件及び／又はＯＲ条件）が付加されるのを排除するものではない。「条件として」という用語を使用した場合、他の条件が付加されてもよい。以下でも、「条件として」という用語を使用する場合は同様である。なお、情報表示装置が上記の情報を通信装置に送信するタイミングは特に限定されない。情報表示装置は、例えば、自身が起動した際に上記の情報を通信装置に送信するように構成されていてもよい。また、通信装置が所定のタイミングで情報表示装置に信号を送信し、それに応答することによって情報表示装置が上記の情報を通信装置に送信してもよい。
【０００９】
通信装置は、上記の情報表示装置の識別情報を記憶することが可能である識別情報記憶手段をさらに備えていてもよい。上記の「識別情報」という用語は、情報表示装置を識別することができるあらゆる情報を含む概念である。識別情報の例として、ＩＰアドレス、ＭＡＣアドレス、デバイス名、ホスト名、ユーザ名等を挙げることができる。なお、識別情報記憶手段は、ユーザによって入力された識別情報を記憶してもよいし、識別情報を予め記憶していてもよい（例えばベンダによって設定されていてもよい）。情報表示装置から通信装置に情報が送信される場合、その情報は、情報表示装置の識別情報を含んでいる。位置情報送信手段は、識別情報記憶手段に記憶されている上記の識別情報を含む情報が情報受信手段によって受信されたことを条件として、位置情報特定手段によって特定された位置情報を上記の情報表示装置に送信してもよい。
【００１０】
通信装置は、複数の情報表示装置に通信可能に接続されてもよい。この場合、通信装置は、各情報表示装置からの情報を受信する情報受信手段と、情報受信手段によって受信された情報の送信元の情報表示装置に関する情報を表示する装置情報表示手段と、装置情報表示手段に表示された各情報表示装置に関する情報から少なくとも１つの情報表示装置をユーザが選択することを許容する装置選択許容手段とをさらに備えていてもよい。位置情報送信手段は、位置情報特定手段によって特定された位置情報を装置選択許容手段において選択された情報表示装置に送信してもよい。この構成によると、コンテンツの位置情報の送信先をユーザが選択することができる。
【００１１】
１つの情報表示装置のみからの情報が情報受信手段によって受信された場合、仮に、その情報表示装置に関する情報が装置情報表示手段で表示されても、ユーザは、その情報表示装置しか選択することができない。従って、１つの情報表示装置のみからの情報が情報受信手段によって受信された場合、位置情報特定手段によって特定された位置情報をその情報表示装置に自動的に送信する構成（ユーザが選択できない構成）を採用することが考えられる。この構成を採用してもよいが、この場合、コンテンツの位置情報の送信先としてユーザが望んでいない情報表示装置にコンテンツの位置情報が送信される可能性がある。このために、装置情報表示手段は、１つの情報表示装置のみからの情報が情報受信手段によって受信された場合でも、当該情報表示装置に関する情報を表示してもよい。位置情報送信手段は、装置選択許容手段において当該情報表示装置が選択されたことを条件として、位置情報特定手段によって特定された位置情報を当該情報表示装置に送信してもよい。この構成によると、ユーザが望んでいない情報表示装置にコンテンツの位置情報が送信されるという事象が発生するのを防止することができる。
【００１２】
通信装置は、少なくとも１つの情報表示装置からの情報が情報受信手段によって受信されたことを条件として第１表示形態を有する操作部を表示するとともに、いずれの情報表示装置からの情報も情報受信手段によって受信されないことを条件として第１表示形態と異なる第２表示形態を有する操作部を表示する操作部表示手段をさらに備えていてもよい。装置情報表示手段は、第１表示形態を有する操作部が操作されたことを条件として、情報受信手段によって受信された情報の送信元の情報表示装置に関する情報を表示してもよい。この構成では、起動している情報表示装置の有無に応じて、操作部の表示形態が変わる。このために、ユーザは、起動している情報表示装置の有無を容易に知ることができる。
【００１３】
通信装置は、少なくとも１つの情報表示装置の識別情報を記憶することが可能である識別情報記憶手段と、識別情報記憶手段に記憶されている上記の識別情報を含む情報が情報受信手段によって受信されたのか否かを判断する第１判断手段と、識別情報記憶手段に記憶されている上記の識別情報以外の識別情報を含む情報が情報受信手段によって受信されたのか否かを判断する第２判断手段とをさらに備えていてもよい。位置情報送信手段は、第１判断手段によって肯定的に判断されたことを条件として、位置情報特定手段によって特定された位置情報を上記の識別情報に対応する情報表示装置に送信してもよい。また、装置情報表示手段は、第１判断手段によって否定的に判断され、かつ、第２判断手段によって肯定的に判断されたことを条件として、情報受信手段によって受信された情報の送信元の情報表示装置に関する情報を表示してもよい。この構成では、例えば、コンテンツの位置情報の送信先としてユーザが望んでいる情報表示装置（デフォルトの情報表示装置）の識別情報を識別情報記憶手段に記憶させておくことができる。デフォルトの情報表示装置が起動している場合には、その情報表示装置にコンテンツの位置情報を送信することができる。一方において、デフォルトの情報表示装置が起動していない場合には、コンテンツの位置情報の送信先をユーザが選択することができる。
【００１４】
なお、位置情報記憶手段は、１つのコンテンツ要約情報の位置情報のみを記憶することが可能であってもよいし、複数のコンテンツ要約情報のそれぞれの位置情報を記憶することが可能であってもよい。後者の場合、要約情報取得手段は、位置情報記憶手段に記憶されている各位置情報からコンテンツ要約情報を取得してもよい。タイトル表示手段は、要約情報取得手段によって取得された各コンテンツ要約情報に含まれる各コンテンツのタイトルを表示してもよい。
【発明を実施するための最良の形態】
【００１５】
ここでは、以下の実施例に記載の技術の特徴の一部をまとめておく。
（形態１）コンテンツのことを「サイト内の複数の情報のうちの１つの情報」と言い換えてもよい。上記の複数の情報のそれぞれは、１つのＵＲＬに対応している。従って、コンテンツのことを「サイト内の１つのＵＲＬに対応している情報」と言い換えることもできる。また、コンテンツ要約情報のことを「フィード情報」と言い換えてもよい。
【００１６】
（形態２）コンテンツ要約情報は、サイト情報を含んでいてもよい。サイト情報は、サイトのタイトルを含んでいてもよい。フィード情報は、複数のコンテンツのそれぞれについて、当該コンテンツのタイトル文字列と当該コンテンツのＵＲＬとを含んでいてもよい。コンテンツ要約情報は、複数のコンテンツのそれぞれについて、当該コンテンツが更新された日時を示す情報を含んでいてもよい。コンテンツ要約情報は、複数のコンテンツのそれぞれについて、当該コンテンツの文字列が要約された要約文字列を含んでいてもよい。要約文字列は、コンテンツのタイトルより多い文字列であって、コンテンツの全体の文字列より少ない文字列であってもよい。
【００１７】
（形態３）通信装置は、各コンテンツのタイトルを順に表示してもよい。通信装置は、各コンテンツのタイトルが順に表示されている状態で第１操作が加えられると、各コンテンツのタイトルのリストを表示してもよい。通信装置は、リストから選択されたタイトルに対応するコンテンツの要約文字列を表示してもよい。通信装置は、コンテンツの要約文字列が表示されている状態で第２操作が加えられると、当該コンテンツの位置情報を情報表示装置に送信してもよい。
【００１８】
（形態４）通信装置は、コンテンツ要約情報の位置情報（例えばＵＲＬ等）に定期的にアクセスしてもよい。これにより、通信装置は、最新のコンテンツ要約情報を取得することができる。
【００１９】
（形態５）情報表示装置は、起動した際に通信装置に起動情報を送信するためのソフトウェアをインストール可能であってもよい。情報表示装置は、起動情報の送信先の通信装置に関する情報（例えばＩＰアドレス、ＭＡＣアドレス、デバイス名等）を記憶するための記憶領域を有していてもよい。情報表示装置は、起動している間に起動情報を定期的に通信装置に送信してもよい。通信装置は、起動情報を受信することを監視することによって情報表示装置が起動しているのか否かを知ることができる。
【実施例】
【００２０】
図面を参照して実施例を説明する。図１は、本実施例の多機能機システム２の概略図を示す。多機能機システム２は、多機能機１０と複数のＰＣ７０，７１と複数のコンテンツ提供サーバ９０，９１と備える。なお、図１では、１つの多機能機１０と２つのＰＣ７０，７１と２つのコンテンツ提供サーバ９０，９１しか示されていないが、これらの数は適宜変更することができる。多機能機１０は、ＬＡＮ回線４に接続されている。各ＰＣ７０，７１は、ＬＡＮ回線４に接続されている。ＬＡＮ回線４は、ルータ６を介してインターネット８に接続されている。各コンテンツ提供サーバ９０，９１は、インターネット８に接続されている。本実施例では、コンテンツ提供サーバ９０が１つのサイトを公開しており、コンテンツ提供サーバ９１が１つのサイトを公開している。各サイトは、複数のコンテンツを含んでいる。さらに、各コンテンツ提供サーバ９０，９１は、自身のサイトが含んでいる複数のコンテンツの要約情報であるフィード情報（ＲＳＳ形式のフィード情報）を記憶している。これらの情報の具体的な内容については、後で詳しく説明する。
【００２１】
（ＰＣの構成）
図１は、ＰＣ７０の構成を示す。ＰＣ７１も、ＰＣ７０と同様の構成を有する。ＰＣ７０は、ＣＰＵ７２とハードディスク７４と表示部８２と操作部８４等を有する。なお、図１には示されていないが。ＰＣ７０は、ＬＡＮ回線４に接続されているネットワークインターフェイスも有している。
【００２２】
ＣＰＵ７２は、ハードディスク７４に記憶されているプログラム７６，７８に従って様々な処理を実行する。ＣＰＵ７２が実行する処理については、後で詳しく説明する。ハードディスク７４は、様々なプログラム７６，７８を記憶している。基本プログラム７６は、ＰＣ７０の基本的な動作を制御するためのプログラムである。基本プログラム７６は、例えば、インターネット８のサイトからコンテンツをダウンロードして表示するためのブラウザを含んでいる。常駐ソフト７８は、多機能機１０にＰＣ起動通知を送信したり、多機能機１０からの指示に従って動作したりするためのプログラムである。ＰＣ起動通知については、後で詳しく説明する。常駐ソフト７８は、例えば、コンピュータ読取可能媒体からＰＣ７０にインストールされる。また、常駐ソフト７８は、例えば、インターネット８のサイトからダウンロードされてＰＣ７０にインストールされてもよい。ハードディスク７４は、設定ファイル８０を記憶している。設定ファイル８０は、多機能機１０のＩＰアドレスを含んでいる。設定ファイル８０の記憶内容は、例えば、ユーザによって設定される。設定ファイル８０の記憶内容がどのようにして利用されるのかについては、後で詳しく説明する。
【００２３】
表示部８２は、様々な情報を表示することができる。表示部８２は、比較的に大きい表示画面を有する。表示部８２は、多機能機１０が有する表示パネル５０（図２参照）より大きい表示画面を有する。操作部８４は、キーボードやマウスによって構成される。ユーザは、操作部８４を操作することによって、様々な指示や情報をＰＣ７０に入力することができる。
【００２４】
（多機能機の構成）
図２は、多機能機１０の構成を示す。多機能機１０は、制御部１２と表示パネル５０とキーパッド５２と印刷部５４とスキャン部５６とＦＡＸ部５８とネットワークインターフェイス６０とＰＳＴＮインターフェイス６２等を有する。制御部１２は、ＣＰＵ１４とＲＯＭ１６とＲＡＭ３０とＮＶＲＡＭ４０等を有する。
【００２５】
ＣＰＵ１４は、ＲＯＭ１６に記憶されているプログラム１８〜２６に従って様々な処理を実行する。ＣＰＵ１４が実行する処理については、後で詳しく説明する。ＲＯＭ１６は、様々なプログラム１８〜２６を記憶している。基本機能プログラム１８は、多機能機１０の基本的な動作を制御するためのプログラムである。基本機能プログラム１８は、例えば、表示パネル５０に表示される表示データを生成するためのプログラムを含んでいる。また、基本機能プログラム１８は、例えば、印刷部５４、スキャン部５６、ＦＡＸ部５８等を制御するためのプログラムを含んでいる。インターネット接続プログラム２０は、インターネット８に接続するためのプログラムである。フィード情報解析プログラム２２は、コンテンツ提供サーバ９０，９２から取得されるフィード情報を解析し、表示パネル５０で表示するための情報（以下では表示情報と呼ぶ）を作成するためのプログラムである。フィード情報表示プログラム２４は、表示情報を表示するためのプログラムである。ＰＣ管理プログラム２６は、ＰＣ７０，７１から送信されるＰＣ起動通知に従って処理を実行するためのプログラムである。より具体的に言うと、ＰＣ管理プログラム２６は、ＰＣ起動通知の送信元のＰＣに関する情報（例えばＩＰアドレスやＰＣのホスト名）を後述するＲＡＭ３０のＰＣ情報記憶領域３８に記憶させるためのプログラムである。
【００２６】
ＲＡＭ３０は、様々な記憶領域３２〜３８を有する。基本機能ワーク領域３２は、基本機能プログラム１８に従って処理が実行される過程で生成される各種データを記憶するための記憶領域である。フィード情報解析ワーク領域３４は、フィード情報解析プログラム２２に従って処理が実行される過程で作成される各種データを記憶するための記憶領域である。表示情報記憶領域３６は、フィード情報解析プログラム２２に従って作成される表示情報を記憶するための記憶領域である。ＰＣ情報記憶領域３８は、ＰＣ起動通知の送信元のＰＣに関する情報を記憶するための記憶領域である。
【００２７】
ＮＶＲＡＭ４０は、様々な記憶領域４２〜４６を有する。基本機能パラメータ記憶領域４２は、ＣＰＵ１４が基本機能プログラム１８に従って処理を実行する際に利用される各種パラメータ（例えば印刷設定、スキャン設定等）を記憶するための記憶領域である。ＵＲＬ記憶領域４４は、各コンテンツ提供サーバ９０，９１が有するフィード情報のＵＲＬを記憶するための記憶領域である。例えば、ユーザは、各コンテンツ提供サーバ９０，９１からのコンテンツ提供サービスを受けるための登録を行なう必要がある。この登録は、多機能機１０を利用して実行されてもよいし、ＰＣ７０，７１を利用して実行されてもよい。例えば、ユーザがＰＣ７０を利用してコンテンツ提供サーバ９０からのコンテンツ提供サービスを受けるための登録を行なった場合、コンテンツ提供サーバ９０のフィード情報のＵＲＬがＰＣ７０から多機能機１０に送信される。これにより、ＵＲＬ記憶領域４４にコンテンツ提供サーバ９０のフィード情報のＵＲＬが記憶される。デフォルトＰＣ情報記憶領域４６は、ＰＣのＩＰアドレスやホスト名等のＰＣを識別するための情報を記憶している。ユーザは、所望のＰＣ（例えばＰＣ７０）のＩＰアドレスを多機能機１０に入力することができる。デフォルトＰＣ情報記憶領域４６は、ユーザによって入力されたＩＰアドレスやホスト名を記憶する。
【００２８】
表示パネル５０は、様々な情報を表示することができる。表示パネル５０の表示画面は、ＰＣ７０，７１が有する表示画面より小さい。表示パネル５０は、タッチパネルとして機能する。キーパッド５２は、複数のキーによって構成される。ユーザは、キーパッド５２を操作することによって様々な指示や情報を多機能機１０に入力することができる。印刷部５４は、インクジェットタイプ、レーザタイプ等の印刷機構を有する。スキャン部５６は、ＣＣＤ、ＣＩＳ等の読取機構を有する。ＦＡＸ部５８は、ＦＡＸ通信を実行するための各種動作を実行する。ネットワークインターフェイス６０は、ＬＡＮ回線４に接続されている。多機能機１０は、ＰＣ７０，７１と通信可能であるとともに、インターネット８にアクセス可能である。ＰＳＴＮインターフェイス６２は、図示省略しているＰＳＴＮ（Ｐｕｂｌｉｃ  Ｓｗｉｔｃｈｅｄ  Ｔｅｌｅｐｈｏｎｅ  Ｎｅｔｗｏｒｋ）に接続されている。ＰＳＴＮは、ＦＡＸ通信や電話通信を行なう際に利用される。
【００２９】
（ＵＲＬ記憶領域の記憶内容）
続いて、ＮＶＲＡＭ４０のＵＲＬ記憶領域４４（図２参照）の記憶内容について説明する。図３は、ＵＲＬ記憶領域４４の記憶内容の一例を示す。ＵＲＬ記憶領域４４は、各コンテンツ提供サーバ９０，９１のフィード情報のＵＲＬ１０２を記憶することが可能である。換言すると、ＵＲＬ記憶領域４４は、各サイトのフィード情報のＵＲＬ１０２を記憶することが可能である。図３の例では、ｎ個のＵＲＬ１０２が記憶されている。各ＵＲＬ１０２には、識別番号１００が付与されている。本実施例では、識別番号１００を符号「ｉ」で表現する。
【００３０】
（表示情報記憶領域の記憶内容）
続いて、ＲＡＭ３０の表示情報記憶領域３６（図２参照）の記憶内容について説明する。図４は、表示情報記憶領域３６の記憶内容の一例を示す。表示情報記憶領域３６は、ＵＲＬ記憶領域４４に記憶されているＵＲＬ毎に表示情報１１２を記憶することが可能である。換言すると、表示情報記憶領域３６は、ＵＲＬ記憶領域４４に記憶されているサイト毎に表示情報１１２を記憶することが可能である。上述したように、ＵＲＬ記憶領域４４にはｎ個（ｎは１以上の整数）のＵＲＬ１０２が記憶されている（図３参照）。このために、表示情報記憶領域３６にもｎ個の表示情報１１２が記憶されている。各表示情報１１２には、識別番号１１０が付与されている。本実施例では、識別番号１１０を符号「ｉ」で表現する。
【００３１】
個々の表示情報１１２のデータ構成について説明する。表示情報１１２は、サイト情報１２０を含んでいる。サイト情報１２０は、サイトタイトル文字列１２２とフィード更新日時情報１２４を含んでいる。サイトタイトル文字列１２２は、サイトのタイトルの文字列である。サイトのタイトルのことを「サイトの名称」と言い換えることもできる。フィード更新日時情報１２４は、コンテンツ提供サーバにおいてフィード情報が更新された日時（最新の更新日時）に関する情報である。
【００３２】
表示情報１１２は、更新コンテンツ情報１３２を含んでいる。更新コンテンツ情報１３２の数は、サイトが有するコンテンツの数に等しい。例えば、図４では、「ｉ＝０」に対応する表示情報１１２は、ｍ個（ｍは１以上の整数）の更新コンテンツ情報１３２を有する。これは、「ｉ＝０」に対応するサイトがｍ個のコンテンツを有することを意味する。例えば、所定のサイトにおいて天気予報に関するコンテンツとスポーツに関するコンテンツとが存在する場合、そのサイトに対応する表示情報１１２は、２個の更新コンテンツ情報１３２を有することになる。各更新コンテンツ情報１３２には、識別番号１３０が付与されている。本実施例では、識別番号１３０を符号「ｊ」で表現する。
【００３３】
各更新コンテンツ情報１３２は、コンテンツタイトル文字列１４０とコンテンツ更新日時情報１４２とコンテンツ要約文字列１４４とコンテンツＵＲＬ１４６を含んでいる。上記の例の場合、天気予報に関するコンテンツに対応する更新コンテンツ情報１３２が情報１４０〜１４６を含んでおり、スポーツに関するコンテンツに対応する更新コンテンツ情報１３２も情報１４０〜１４６を含んでいる。コンテンツタイトル文字列１４０は、コンテンツのタイトルの文字列である。コンテンツのタイトルのことを「コンテンツの名称」と言い換えることもできる。コンテンツ更新日時情報１４２は、コンテンツ提供サーバにおいてコンテンツが更新された日時（最新の更新日時）に関する情報である。コンテンツ要約文字列１４４は、コンテンツが有する文字列が要約化されたものである。換言すると、コンテンツ要約文字列１４４は、コンテンツのタイトルより多い文字列であり、コンテンツの全体の文字列より少ない文字列であり、コンテンツの内容が反映された文字列である。コンテンツＵＲＬ１４６は、コンテンツのＵＲＬである。
【００３４】
（ＰＣが実行する処理）
続いて、ＰＣ７０が実行する処理について説明する。ＰＣ７１も同様に処理を実行する。ＰＣ７０が起動（電源ＯＮ）されるとＯＳが起動し、その後にＯＳによって常駐ソフト７８（図１参照）が自動的に起動される。ＰＣ７０のＣＰＵ７２は、常駐ソフト７８に従って処理を実行する。図５は、ＰＣ７０のＣＰＵ７２が実行する処理のフローチャートを示す。
【００３５】
ＣＰＵ７２は、設定ファイル８０（図１参照）の記憶内容を読み込む（Ｓ１０）。ＣＰＵ７２は、設定ファイル８０に情報が記憶されているのか否かを判断する（Ｓ１２）。本実施例では、設定ファイル８０に多機能機１０のＩＰアドレスが記憶されている（多機能機１０を識別することができる情報であればよく、ノード名等でも可能であり、ＩＰアドレスに限定されない）。この場合、ＣＰＵ７２は、Ｓ１２でＹＥＳと判断し、Ｓ１４に進む。一方において、設定ファイル８０に情報が記憶されていない場合、常駐ソフト７８に従って実行される処理が終了する。
【００３６】
Ｓ１４では、ＣＰＵ７２は、多機能機１０にＰＣ起動通知を送信する（Ｓ１４）。ＰＣ起動通知は、ＰＣ７０のＩＰアドレスやホスト名を含んでいる。次いで、ＣＰＵ７２は、予め決められているポート番号を持つ受信ポートを開く（Ｓ１６）。ＣＰＵ７２は、何らかのイベントが発生するまで待機する（Ｓ１８）。イベントが発生するとＳ２０に進む。Ｓ２０では、ＣＰＵ７２は、多機能機１０からのＵＲＬ通知が受信されたのか否かを判断する。ＵＲＬ通知がどのようにして多機能機１０から送信されるのかについては、後で詳しく説明する。Ｓ２０でＹＥＳの場合、ＣＰＵ７２は、ブラウザプログラムを起動し、受信されたＵＲＬにアクセスする（Ｓ２２）。これにより、多機能機１０からのＵＲＬに対応するコンテンツが表示部８２（図１参照）に表示される。ユーザは、コンテンツを見ることができる。
【００３７】
Ｓ２０でＮＯの場合、ＣＰＵ７２は、常駐ソフト７８のプログラムを停止することがユーザによって指示されたのか否かを判断する（Ｓ２４）。例えば、ユーザは、操作部８４に所定の操作を加えることによって、上記の指示をＰＣ７０に入力することができる。この場合、ＣＰＵ７２は、Ｓ２４でＹＥＳと判断し、処理を終了する。一方において、Ｓ２４でＮＯの場合、ＣＰＵ７２は、イベントに応じた処理を実行し（Ｓ２６）、次のイベントが発生するまで待機する（Ｓ１８）。
【００３８】
（多機能機が実行する処理）
続いて、多機能機１０が実行する処理について説明する。フローチャートに示されていないが、多機能機１０のＣＰＵ１４は、ＰＣ管理プログラム２６（図２参照）に従って以下の処理を実行する。上述したように、ＰＣ７０，７１は、起動される毎にＰＣ起動通知を多機能機１０に送信する（図５のＳ１４参照）。ＣＰＵ１４は、ＰＣ起動通知を受信することを監視している。ＣＰＵ１４は、ＰＣ起動通知を受信すると、そのＰＣ起動通知に含まれるＩＰアドレスやホスト名をＰＣ情報記憶領域３８（図２参照）に記憶させる。
【００３９】
なお、ＰＣ７０，７１は、起動している間はＰＣ起動通知を定期的に多機能機１０に送信してもよい。この場合、ＰＣ７０，７１が起動停止（電源ＯＦＦ）されると、ＰＣ起動通知が多機能機１０に送信されない。ＣＰＵ１４は、ＰＣ情報記憶領域３８に記憶されているＩＰアドレスやホスト名を有するＰＣからのＰＣ起動通知を所定時間継続して受信しなかった場合に、そのＩＰアドレスやホスト名をＰＣ情報記憶領域３８から消去する。これにより、ＰＣ情報記憶領域３８には、起動しているＰＣに関する情報のみが記憶される。
【００４０】
また、ＰＣ７０，７１は、ＰＣ起動通知を定期的に多機能機１０に送信しなくてもよい。この場合。ＰＣ７０，７１は、起動停止される毎に起動停止通知（ＩＰアドレスやホスト名を含む）を多機能機１０に送信してもよい。この形態によっても、ＣＰＵ１４は、ＰＣ７０，７１が起動停止されたことを知ることができる。ＣＰＵ１４は、起動停止通知に含まれるＩＰアドレスやホスト名をＰＣ情報記憶領域３８から消去する。この形態によっても、ＰＣ情報記憶領域３８には、起動しているＰＣに関する情報のみが記憶される。
【００４１】
（フィード情報解析処理）
続いて、多機能機１０のＣＰＵ１４がフィード情報を取得して解析するためのフィード情報解析処理について説明する。フィード情報解析処理は、独立したタスクとして動作し、インターネット接続プログラム２０とフィード情報解析プログラム２２（図２参照）に従って多機能機１０の起動時から実行される。図６は、フィード情報解析処理のフローチャートを示す。
【００４２】
ＣＰＵ１４は、更新時刻に到達するまで待機する（Ｓ４０）。更新時刻は、例えば、ユーザによって設定されてもよいし、プログラムによって決められていてもよい。更新時刻に到達するとＳ４２に進む。Ｓ４２では、ＣＰＵ１４は、ＮＶＲＡＭ４０のＵＲＬ記憶領域４４（図２参照）に記憶されているＵＲＬ数（サイト数）を取得する（Ｓ４２）。図３に示されるように、本実施例では、ＵＲＬ記憶領域４４にｎ個のＵＲＬが記憶されている。このために、ＣＰＵ１４は、Ｓ４２において「ｎ」を取得する。次いで、ＣＰＵ１４は、カウンタｉを初期化する（Ｓ４４）。ＣＰＵ１４は、カウンタｉがｎより小さいのか否かを判断する（Ｓ４６）。ここでＹＥＳの場合、Ｓ４８に進む。
【００４３】
Ｓ４８では、ＣＰＵ１４は、ＵＲＬ記憶領域４４からｉ番目のサイトのＵＲＬを取得する。例えば、ゼロ番目のサイトのＵＲＬを取得する場合、図３の例では、「ｈｔｔｐ：／／ｗｗｗ．ｅｘａｍｐｌｅ０．ｃｏｍ」が取得される。次いで、ＣＰＵ１４は、インターネット接続プログラム２０に従って、Ｓ４８で取得されたＵＲＬにアクセスし、フィード情報を取得する（Ｓ５０）。フィード情報は、図４に示されるサイト情報１２０や更新コンテンツ情報１３２を含んでいる。ＣＰＵ１４は、フィード情報を解析することによって、図４に示される表示情報１１２を作成する（Ｓ５２）。ＣＰＵ１４は、Ｓ５２で作成された表示情報１１２を表示情報記憶領域３６に記憶させる（Ｓ５４）。例えば、ゼロ番目のサイトの表示情報１１２が作成された場合、ＣＰＵ１４は、番号「ｉ＝０」に対応づけられている古い表示情報１１２をクリアし、番号「ｉ＝０」に対応づけて新しい表示情報１１２を記憶させる。続いて、ＣＰＵ１４は、カウンタｉに１を加算し（Ｓ５６）、Ｓ４６に戻る。図６の処理を実行することにより、表示情報記憶領域３６に各サイトの最新のフィード情報が記憶される。
【００４４】
（表示処理）
続いて、多機能機１０のＣＰＵ１４がフィード情報を表示するための表示処理について説明する。表示処理は、独立したタスクとして動作し、フィード情報表示プログラム２４（図２参照）に従って多機能機１０の起動時から実行される。図７は、表示処理のフローチャートを示す。
【００４５】
多機能機１０は、省電力状態、待機状態、機能実行状態等の複数の状態を有する。省電力状態では、表示パネル５０に何も表示されない（表示パネル５０が消灯している）。省電力状態の間に省電力状態を解除するための操作がキーパッド５２に加えられると、待機状態に移行する。待機状態では、表示パネル５０に機能を選択するための情報が表示される（表示パネル５０が点灯している）。図１２に示される最も上の図は、機能を選択するためのボタン１６０が表示されている表示パネル５０の一例を示す。ユーザは、ボタン１６０を操作することによって機能実行指示を多機能機１０に入力することができる。この場合、機能実行状態に移行する。機能実行状態では、表示パネル５０に実行中の機能に関する情報（例えばコピー枚数等）が表示される。なお、省電力状態の間にも機能実行指示が多機能機１０に入力される可能性がある。例えば、ＰＣ７０，７１からの印刷指示が省電力状態の多機能機１０に入力される可能性がある。この場合も、機能実行状態に移行する。
【００４６】
多機能機１０において実行されている機能が終了すると、待機状態に移行する（ただし省電力状態に移行してもよい）。また、待機状態の間に所定時間に亘ってイベント（表示パネル５０やキーパッド５２の操作、ＰＣ７０，７１からの印刷指示等）が発生しない場合、省電力状態に移行する。
【００４７】
ＣＰＵ１４は、省電力状態又は機能実行状態から待機状態に移行するまで待機する（Ｓ７０）。待機状態に移行するとＳ７２に進む。Ｓ７２では、ＣＰＵ１４は、ＮＶＲＡＭ４０のＵＲＬ記憶領域４４（図２参照）に記憶されているＵＲＬ数（サイト数）を取得する（Ｓ７２）。この処理は、図６のＳ４２の処理と同様である。本実施例では、ＣＰＵ１４は、Ｓ７２において「ｎ」を取得する。次いで、ＣＰＵ１４は、カウンタｉを初期化する（Ｓ７４）。ＣＰＵ１４は、カウンタｉがｎより小さいのか否かを判断する（Ｓ７６）。ここでＹＥＳの場合、Ｓ７８に進む。
【００４８】
Ｓ７８では、ＣＰＵ１４は、ＲＡＭ３０の表示情報記憶領域３６からｉ番目のサイトの表示情報に含まれるサイト情報を取得する。例えば、ゼロ番目のサイトの場合、図４の例では、サイト情報１２０（サイトタイトル文字列１２２とフィード更新日時情報１２４）が取得される。次いで、ＣＰＵ１４は、ｉ番目のサイトのコンテンツ数を特定する（Ｓ８０）。例えば、ゼロ番目のサイトの場合、図４の例では、ｍ個のコンテンツが存在する。この場合、ＣＰＵ１４は、Ｓ８０において「ｍ」を特定する。次いで、ＣＰＵ１４は、カウンタｊを初期化する（Ｓ８２）。ＣＰＵ１４は、カウンタｊがｍより小さいのか否かを判断する（Ｓ８４）。ここでＹＥＳの場合、Ｓ８８に進む。
【００４９】
Ｓ８８では、ＣＰＵ１４は、ＲＡＭ３０の表示情報記憶領域３６からｉ番目のサイトのｊ番目の更新コンテンツ情報を取得する。これにより、１つのコンテンツのコンテンツタイトル文字列１４０とコンテンツ更新日時情報１４２とコンテンツ要約文字列１４４とコンテンツＵＲＬ１４６が取得される。次いで、ＣＰＵ１４は、Ｓ７８で取得されたサイトタイトル文字列１２２と、Ｓ８８で取得されたコンテンツタイトル文字列１４０と、Ｓ８８で取得されたコンテンツ更新日時情報１４２を表示パネル５０に送信する（Ｓ９０）。この結果、図１２の最も上の図に示されるように、コンテンツタイトル文字列１６２が表示パネル５０で表示される。なお、コンテンツタイトル文字列１６２は、移動していく（例えば右から左に移動していく）。即ち、コンテンツタイトル文字列１６２は、テロップ状に表示される。なお、サイトタイトル文字列１２２やコンテンツ更新日時情報１４２は、表示パネル５０で表示されてもよいし、表示されなくてもよい。Ｓ９０を終えると、図８のＳ１００に進む。
【００５０】
Ｓ１００では、ＣＰＵ１４は、イベントが発生するまで待機する。イベントが発生するとＳ１０２に進む。Ｓ１０２では、ＣＰＵ１４は、コンテンツタイトル文字列１６２のテロップ表示が終了したイベントが発生したのか否かを判断する。ここでＹＥＳの場合、ＣＰＵ１４は、カウンタｊに１を加算し（Ｓ１０４）、図７のＳ８４に進む。このＳ８４でカウンタｊがｍより小さいと判断されると、ＣＰＵ１４は、Ｓ８８，Ｓ９０を再び実行する。これにより、次の更新コンテンツ情報（例えば１番目の更新コンテンツ情報）に基づいて、コンテンツタイトル文字列１６２がテロップ表示される。１つのサイトの全ての更新コンテンツ情報に基づいてコンテンツタイトル文字列１６２がテロップ表示されると、Ｓ８４でＮＯと判断される。この場合、ＣＰＵ１４は、カウンタｉに１を加算し（Ｓ８６）、次のサイト（例えば１番目のサイト）についてＳ７８〜Ｓ９０の処理を実行する。これにより、次のサイトの更新コンテンツ情報に基づいてコンテンツタイトル文字列１６２がテロップ表示される。
【００５１】
図８のＳ１０２でＮＯの場合、ＣＰＵ１４は、リスト表示要求イベントが発生したのか否かを判断する（Ｓ１０６）。図１２の最も上の図のようにコンテンツタイトル文字列１６２がテロップ表示されている状態において、ユーザは、コンテンツタイトル文字列１６２をタッチすることができる。ユーザがタッチした場合、ＣＰＵ１４は、Ｓ１０６でＹＥＳと判断する。Ｓ１０６でＹＥＳの場合、ＣＰＵ１４は、リスト表示処理を実行する（Ｓ１０８）。リスト表示処理の内容については、後で詳しく説明する。
【００５２】
Ｓ１０６でＮＯの場合、ＣＰＵ１４は、機能実行操作が発生したのか否かを判断する（Ｓ１１０）。図１２の最も上の図に示されるいずれかのボタン１６０をユーザは操作することができる。この場合、ＣＰＵ１４は、Ｓ１１０でＹＥＳと判断する。ＣＰＵ１０４は、操作されたボタン１６０に対応する処理（例えばＦＡＸ送信処理、スキャン処理、コピー処理等）を実行する。この場合、多機能機１０が機能実行状態に移行し、表示パネル５０では実行中の機能に関する情報が表示される。ＣＰＵ１４は、図７のＳ７０に戻って、待機状態に移行するまで待機する。一方において、Ｓ１１０でＮＯの場合、ＣＰＵ１４は、イベントに応じた処理を実行し、Ｓ１００に戻って、イベントが発生するまで待機する。
【００５３】
（リスト表示処理）
続いて、図８のＳ１０８で実行されるリスト表示処理について説明する。図９は、リスト表示処理のフローチャートを示す。ＣＰＵ１４は、ＲＡＭ３０の表示情報記憶領域３６からｉ番目のサイト（コンテンツ文字列１６２が表示されているサイト）の全ての更新コンテンツ情報１３２を取得する（Ｓ１２０）。例えば、ゼロ番目のサイトの場合、図４の例では、ｍ個の更新コンテンツ情報１３２が存在する。この場合、Ｓ１２０においてｍ個の更新コンテンツ情報１３２が取得される。次いで、ＣＰＵ１４は、Ｓ７８で取得されたサイトタイトル文字列１２２と、Ｓ１２０で取得された各コンテンツタイトル文字列１４０と、Ｓ１２０で取得された各コンテンツ更新日時情報１４２とを含むリストデータを作成する（Ｓ１２２）。ＣＰＵ１４は、Ｓ１２２で作成されたリストデータを表示パネル５０に送信する（Ｓ１２４）。この結果、図１２の上から２番目の図に示されるように、リスト１７０が表示パネル５０で表示される。リスト１７０は、複数のコンテンツ（例えばｍ個のコンテンツ）のそれぞれについて、当該コンテンツのコンテンツ更新日時情報と当該コンテンツのコンテンツタイトル文字列とを含んでいる。図１２の上から２番目の図の例では、スポーツに関するコンテンツについて、コンテンツ更新日時情報「１４：３２」とコンテンツタイトル文字列「Ｓｐｏｒｔ・・・」とが表示されている。また、この例では、サイトタイトル文字列１７２も表示されている。Ｓ１２４を終えると、Ｓ１２６に進む。
【００５４】
Ｓ１２６では、ＣＰＵ１４は、イベントが発生するまで待機する。イベントが発生するとＳ１２８に進む。Ｓ１２８では、ＣＰＵ１４は、コンテンツ選択操作に関するイベントが発生したのか否かを判断する。図１２の上から２番目の図のようにリスト１７０が表示されている状態において、ユーザは、１つのコンテンツ（コンテンツタイトル文字列）をタッチすることができる。ユーザがタッチした場合、ＣＰＵ１４は、Ｓ１２８でＹＥＳと判断する。Ｓ１２８でＹＥＳの場合、ＣＰＵ１４は、コンテンツ表示処理を実行する（Ｓ１３０）。コンテンツ表示処理の内容については、後で詳しく説明する。
【００５５】
図８のＳ１２８でＮＯの場合、ＣＰＵ１４は、リスト表示を終了する指示が入力されたのか否かを判断する（Ｓ１３２）。図１２の上から２番目の図のようにリスト１７０が表示されている状態において、ユーザは、ボタン１７４をタッチすることができる。この場合、ＣＰＵ１４は、Ｓ１３２でＹＥＳと判断する。Ｓ１３２でＹＥＳの場合、ＣＰＵ１４は、リスト表示処理を終了し、図７のＳ８４に戻る。一方において、Ｓ１３２でＮＯの場合、ＣＰＵ１４は、イベントに応じた処理を実行し、Ｓ１２６に戻って、イベントが発生するまで待機する。
【００５６】
（コンテンツ表示処理）
続いて、図９のＳ１３０で実行されるコンテンツ表示処理について説明する。図１０は、コンテンツ表示処理のフローチャートを示す。ＣＰＵ１４は、ＲＡＭ３０の表示情報記憶領域３６からｉ番目のサイトのＳ１２８で選択されたコンテンツに関する表示データを作成する（Ｓ１５０）。この表示データは、サイトタイトル文字列１２２と、当該コンテンツのコンテンツタイトル文字列１４０と、当該コンテンツのコンテンツ更新日時情報１４２と、当該コンテンツのコンテンツ要約文字列１４４とを含んでいる。次いで、ＣＰＵ１４は、ＲＡＭ３０のＰＣ情報記憶領域３８（図２参照）の記憶内容を読み出す（Ｓ１５２）。ＣＰＵ１４は、ＰＣ情報記憶領域３８に情報が記憶されているのか否かを判断する（Ｓ１５４）。情報が記憶されていない場合（即ち起動中のＰＣ数がゼロの場合）、ＣＰＵ１４は、Ｓ１５４でＹＥＳと判断する。この場合、Ｓ１５６に進む。
【００５７】
Ｓ１５６では、ＣＰＵ１４は、Ｓ１５０で作成された表示データを表示パネル５０に送信する。この結果、図１３に示される画面が表示パネル５０に表示される。図１３の画面は、サイトタイトル文字列１７２と、コンテンツ更新日時情報１８０と、コンテンツタイトル文字列１８２と、コンテンツ要約文字列１８４とを含んでいる。図１３の画面は、さらに、Ｖｉｅｗボタン１８８を含んでいる。図１３の画面では、Ｖｉｅｗボタン１８８は、グレーアウトされている（図１３ではグレーアウトをハッチングで表現している）。図１０のＳ１５６では、ＣＰＵ１４は、Ｖｉｅｗボタン１８８をグレーアウトさせる属性情報を表示データに付加し、その表示データを表示パネル５０に送信する。グレーアウトされていないＶｉｅｗボタン１８６（図１２の上から３番目の図参照）がユーザによって操作されると、ＣＰＵ１４は、後述する図１１のＳ１７６以降の処理を実行する。しかしながら、グレーアウトされているＶｉｅｗボタン１８８がユーザによって操作されても、ＣＰＵ１４は、Ｓ１７６以降の処理を実行しない。即ち、グレーアウトされているＶｉｅｗボタン１８８は無効化されていると言うことができる。なお、グレーアウトされているＶｉｅｗボタン１８８がユーザによって操作されても本実施例では何も実行されないが、音を出力する処理等が実行されてもよい。次いで、ＣＰＵ１４は、コンテンツ表示の終了イベント（終了ボタンの操作）が発生するまで待機する（Ｓ１５８）。
【００５８】
ＰＣ情報記憶領域３８に情報が記憶されている場合（即ち起動中のＰＣが存在する場合）、ＣＰＵ１４は、Ｓ１５４でＮＯと判断する。この場合、図１１のＳ１７０に進む。Ｓ１７０では、ＣＰＵ１４は、Ｓ１５０で作成された表示データを表示パネル５０に送信する。この結果、図１２の上から３番目の図に示される画面が表示パネル５０に表示される。この画面は、図１３と同様の様々な１７２，１８０，１８２，１８４を含んでいる。この画面は、さらに、Ｖｉｅｗボタン１８６を含んでいる。Ｖｉｅｗボタン１８６は、グレーアウトされておらず、通常の表示形態を有する。図１１のＳ１７０では、ＣＰＵ１４は、Ｖｉｅｗボタン１８６を通常の表示形態で表示させる属性情報を表示データに付加し、その表示データを表示パネル５０に送信する。Ｓ１７０を終えると、Ｓ１７２に進む。
【００５９】
Ｓ１７２では、ＣＰＵ１４は、イベントが発生するまで待機する。イベントが発生するとＳ１７４に進む。Ｓ１７４では、ＣＰＵ１４は、Ｖｉｅｗボタン１８６が操作されたのか否かを判断する。ここでＮＯの場合、ＣＰＵ１４は、コンテンツ表示の終了イベント（終了ボタンの操作）が発生したのか否かを判断する（Ｓ１７５）。ここでＹＥＳの場合、ＣＰＵ１４は、コンテンツ表示処理を終了する。一方において、Ｓ１７５でＮＯの場合、ＣＰＵ１４は、イベントに応じた処理を実行し、Ｓ１７２に戻る。Ｓ１７４でＹＥＳの場合、ＣＰＵ１４は、ＮＶＲＡＭ４０のデフォルトＰＣ情報記憶領域４６（図２参照）の記憶内容を読み出す（Ｓ１７６）。ＣＰＵ１４は、デフォルトＰＣ情報記憶領域４６に情報が記憶されているのか否かを判断する（Ｓ１７８）。ここでＹＥＳの場合、Ｓ１８０に進む。一方において、Ｓ１７８でＮＯの場合、Ｓ１８４に進む。
【００６０】
Ｓ１８０では、ＣＰＵ１４は、デフォルトＰＣ情報記憶領域４６に記憶されているＩＰアドレスやホスト名が、ＲＡＭ３０のＰＣ情報記憶領域３８に記憶されているのか否かを判断する。即ち、ＣＰＵ１４は、デフォルトＰＣ情報記憶領域４６に記憶されているＰＣが起動しているのか否かを判断する。ここでＹＥＳの場合、ＣＰＵ１４は、図９のＳ１２８で選択されたコンテンツのコンテンツＵＲＬ１４６（図４参照）を特定する（Ｓ１８２）。次いで、ＣＰＵ１４は、デフォルトＰＣ情報記憶領域４６に記憶されているＩＰアドレスを送信先としてコンテンツＵＲＬ１４６を送信する。この結果、コンテンツＵＲＬ１４６の送信先のＰＣ（例えばＰＣ７０）は、図５のＳ２０でＹＥＳと判断し、コンテンツＵＲＬ１４６にアクセスしてコンテンツを表示する。Ｓ１８２を終えると、コンテンツ表示処理が終了する。
【００６１】
Ｓ１８４では、ＣＰＵ１４は、ＲＡＭ３０のＰＣ情報記憶領域３８に記憶されている各ＰＣに関する情報のリストを作成する。本実施例では、ＣＰＵ１８４は、ＰＣ情報記憶領域３８に記憶されている各ＰＣのホスト名のリストを作成する。ＣＰＵ１８４は、リストを表示パネル５０に送信する。この結果、図１２の最も下の図に示される画面が表示パネル５０に表示される。この画面は、ホスト名のリスト１９０を含んでいる。Ｓ１８４を終えると、Ｓ１８６に進む。
【００６２】
Ｓ１８６では、ＣＰＵ１４は、イベントが発生するまで待機する。イベントが発生するとＳ１８８に進む。Ｓ１８８では、ＣＰＵ１４は、ＰＣ選択操作が操作されたのか否かを判断する。図１２の最も下の図に示される画面が表示されている状態において、ユーザは、１つのＰＣ（ホスト名）をタッチし、その後にリクエストボタン１９２をタッチすることができる。この場合、ＣＰＵ１４は、Ｓ１８８でＹＥＳと判断する。Ｓ１８８でＹＥＳの場合、ＣＰＵ１４は、図９のＳ１２８で選択されたコンテンツのコンテンツＵＲＬ１４６（図４参照）を特定する（Ｓ１９０）。次いで、ＣＰＵ１４は、Ｓ１８８で選択されたＰＣのＩＰアドレスを送信先としてコンテンツＵＲＬ１４６を送信する。この結果、コンテンツＵＲＬ１４６の送信先のＰＣ（例えばＰＣ７０）は、図５のＳ２０でＹＥＳと判断し、コンテンツＵＲＬ１４６にアクセスしてコンテンツを表示する。Ｓ１９０を終えると、コンテンツ表示処理が終了する。
【００６３】
Ｓ１８８でＮＯの場合、ＣＰＵ１４は、表示を終了する指示が入力されたのか否かを判断する（Ｓ１９２）。図１２の最も下の図の画面が表示されている状態において、ユーザは、ボタン１９４をタッチすることができる。この場合、ＣＰＵ１４は、Ｓ１９２でＹＥＳと判断する。Ｓ１９２でＹＥＳの場合、コンテンツ表示処理が終了する。一方において、Ｓ１９２でＮＯの場合、ＣＰＵ１４は、イベントに応じた処理を実行し、Ｓ１８６に戻って、イベントが発生するまで待機する。
【００６４】
本実施例の多機能機システム２について詳しく説明した。多機能機１０の表示パネル５０が小さいために、コンテンツの全体を表示するのは難しい。多機能機１０は、図１１のＳ１８２又はＳ１９０において、ユーザによって選択されたコンテンツのコンテンツＵＲＬ１４６をＰＣ（例えばＰＣ７０）に送信する。これにより、ＰＣ７０の表示部８２においてコンテンツが表示される。多機能機１０の表示パネル５０よりもＰＣ７０，７１の表示部８２の方が大きい。ユーザは、大きい表示部８２においてコンテンツの全体を見ることができる。ＰＣ７０，７１においてコンテンツを表示することができるために、多機能機１０でコンテンツを表示する必要がない。このために、多機能機１０にブラウザプログラムを搭載する必要がない。また、本実施例では、多機能機１０からＰＣ７０にコンテンツのＵＲＬを送信し、ＰＣ７０がコンテンツをダウンロードする。多機能機１０がコンテンツをダウンロードし、ダウンロードされたコンテンツをＰＣ７０に送信する構成と比べて、多機能機１０やネットワークの負荷を軽減させることができる。
【００６５】
また、上記の実施例では、多機能機１０は、起動しているＰＣにコンテンツＵＲＬ１４６を送信することができる。起動していないＰＣにコンテンツＵＲＬ１４６が送信される事象が発生することを防止することができる。ユーザは、デフォルトＰＣ情報記憶領域４６に所望のＰＣ（例えば自身が使用するＰＣ）に関する情報を記憶させておくことができる。多機能機１０は、デフォルトＰＣ情報記憶領域４６に記憶されているＰＣが起動している場合には、そのＰＣにコンテンツＵＲＬ１４６を送信する。即ち、ユーザによって予め決められたＰＣに優先的にコンテンツＵＲＬ１４６が送信される。ユーザに改めて所望のＰＣを選択させる手間を省くことができる。
【００６６】
上記の実施例では、デフォルトＰＣ情報記憶領域４６に記憶されているＰＣが起動していない場合（もしくはデフォルトＰＣ情報記憶領域４６にＰＣが記憶されていない場合）には、起動しているＰＣの中からユーザが所望のＰＣを選択することができる。ユーザによって選択されたＰＣにコンテンツＵＲＬ１４６が送信される。なお、起動しているＰＣが１つのみの場合でも、図１２の最も下の図に示されるリスト１９０が表示される。起動しているＰＣにコンテンツＵＲＬ１４６を送信するためには、ユーザは、リスト１９０から当該ＰＣを選択してボタン１９２をタッチする必要がある。即ち、本実施例では、起動しているＰＣが１つのみの場合であっても当該ＰＣに自動的にコンテンツＵＲＬ１４６が送信されない。ユーザが望んでいないＰＣにコンテンツＵＲＬ１４６が送信されるという事象が発生するのを防止することができる。
【００６７】
また、上記の実施例では、起動しているＰＣが存在する場合は通常の表示形態を有するＶｉｅｗボタン１８６が表示され（図１２の上から３番目の図参照）、起動しているＰＣが存在しない場合はグレーアウトされているＶｉｅｗボタン１８８が表示される（図１３参照）。起動しているＰＣの有無に応じてＶｉｅｗボタン１８６，１８８の表示形態を変えることにより、ユーザは、起動しているＰＣの有無を容易に知ることができる。
【００６８】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。上記の実施例の変形例を以下に列挙する。
【００６９】
（１）上記の実施例では、各コンテンツ提供サーバ９０，９１は、コンテンツとフィード情報の両方を記憶している。しかしながら、コンテンツを記憶するためのサーバとフィード情報を記憶するためのサーバが別体に構成されていてもよい。
【００７０】
（２）上記の多機能機１０は、ブラウザプログラムを有していない。しかしながら、多機能機１０は、ブラウザプログラムを有していてもよい。多機能機１０は、コンテンツをダウンロードして表示パネル５０で表示してもよい。例えば、図１１のＳ１８４において表示パネル５０で表示されるリストに多機能機１０に関する情報を表示してもよい。リストから多機能機１０が選択された場合に、多機能機１０がコンテンツをダウンロードして表示パネル５０で表示してもよい。
【００７１】
（３）ＮＶＲＡＭ４０のデフォルトＰＣ情報記憶領域４６（図２参照）がなくてもよい。この場合、図１１のＳ１７４でＹＥＳの場合、ＣＰＵ１４は、図１１のＳ１７６〜Ｓ１８２をスキップして、Ｓ１８４を実行してもよい。
【００７２】
（４）また、Ｓ１７８でＮＯの場合、ＣＰＵ１４は、Ｓ１８４以降の処理を実行しなくてもよい。即ち、図１２の最も下の図に示されるリスト１９０を表示しないようにしてもよい。この変形例では、デフォルトＰＣ情報記憶領域４６に記憶されているＰＣが起動されていない場合、コンテンツＵＲＬ１４６をいずれのＰＣにも送信しない。
【００７３】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【図面の簡単な説明】
【００７４】
【図１】多機能機システムの構成を示す。
【図２】多機能機の構成を示す。
【図３】ＵＲＬ記憶領域の記憶内容の一例を示す。
【図４】表示情報記憶領域の記憶内容の一例を示す。
【図５】ＰＣが実行する処理のフローチャートを示す。
【図６】多機能機が実行するフィード情報解析処理のフローチャートを示す。
【図７】多機能機が実行する表示処理のフローチャートを示す。
【図８】図７の続きのフローチャートを示す。
【図９】多機能機が実行するリスト表示処理のフローチャートを示す。
【図１０】多機能機が実行するコンテンツ表示処理のフローチャートを示す。
【図１１】図１０の続きのフローチャートを示す。
【図１２】表示パネルの表示内容が変化する様子を示す。
【図１３】表示パネルの表示内容の一例を示す。
【符号の説明】
【００７５】
２：多機能機システム、１０：多機能機、５０：表示パネル、７０，７１：ＰＣ、９０，９１：コンテンツ提供サーバ、１１２：表示情報、１２０：サイト情報、１２２：サイトタイトル文字列、１２４：フィード更新日時情報、１３２：更新コンテンツ情報、１４０：コンテンツタイトル文字列、１４２：コンテンツ更新日時情報、１４４：コンテンツ要約文字列、１４６：コンテンツＵＲＬ、１６２：コンテンツタイトル文字列、１７０：リスト、１７２：サイトタイトル文字列、１８０：コンテンツ更新日時情報、１８２：コンテンツタイトル文字列、１８４：コンテンツ要約文字列、１８６，１８８：Ｖｉｅｗボタン
【図１】
2010041539.tif 000003
【図２】
2010041539.tif 000004
【図３】
2010041539.tif 000005
【図４】
2010041539.tif 000006
【図５】
2010041539.tif 000007
【図６】
2010041539.tif 000008
【図７】
2010041539.tif 000009
【図８】
2010041539.tif 000010
【図９】
2010041539.tif 000011
【図１０】
2010041539.tif 000012
【図１１】
2010041539.tif 000013
【図１２】
2010041539.tif 000014
【図１３】
2010041539.tif 000015